(57)【特許請求の範囲】
【請求項１】
動物の顔の形に形成された本体と、該本体の目の位置に相当する部位にホログラムシートを備え、該ホログラムシートは、中心部に瞳孔模様が印刷され、どの角度からでも前記瞳孔模様が見える干渉縞が形成されていることを特徴とする動物撃退具。
【請求項２】
前記本体の口の位置には、ペットボトルの飲み口が差込可能な切り込みが入れられていることを特徴とする請求項１に記載の動物撃退具。
【請求項３】
前記本体の一方の面に装着手段を設けたことを特徴とする請求項１又は２に記載の動物撃退具。
【発明の詳細な説明】
【０００１】
【発明の属する技術分野】
本発明は、ベランダやゴミ置き場などに進入する猫や鳥などの動物を威嚇又は撃退する動物撃退具に関する。
【０００２】
【従来の技術】
日常生活ではカラスや鳩といった鳥類が、家屋の屋根・ベランダ・屋上といった所に糞をまきちらかすので掃除などが面倒である。
【０００３】
また、ゴミ捨て場や家庭菜園といった所は、鳥や猫にとって格好の餌場となってしまうため、動物が食い散らかしてその後始末が非常に面倒である。
【０００４】
上記したような被害を防ぐために、従来から鳥や猫の撃退具が多数出願されてきた。中でも多数出願されているものは、鳥類が目玉や丸い形のものを嫌う性質を利用した発明である。この類の発明のほとんどは、プレートに円を描いて目玉の様に見せたり、風船に円を描いたりして鳥類を威嚇又は撃退しようとするものである。
【０００５】
上記発明以外に、鳥や猫が反射光を嫌う性質を利用した発明も多数出願されている。この類の発明は、プレート等の本体にきらきら光るシールやガラス又は鏡を組み合わせ、光が当たった時の反射光によって威嚇又は撃退しようとするものである。
【０００６】
【発明が解決しようとする課題】
しかし、上述したような発明は撃退具を設置した当初は効果があっても、時間が経過するにつれて鳥や猫がその刺激に馴れてしまうという問題点がある。
【０００７】
また、反射光によって威嚇又は撃退するものは光の当たらない場所では使用できないという問題点もある。
【０００８】
また、上述した撃退具は見る角度によって形状が異なったり、与える印象も変化してしまうので、限られた位置又は角度から見ないと威嚇又は撃退ができないという問題もある。
【０００９】
本発明は、上述した問題点を解決するためになされたものである。
【００１０】
【課題を解決するための手段】
本発明に係る動物撃退具は、動物の顔の形に形成された本体と、該本体の目の位置に相当する部位にホログラムシートを備えていることを特徴とする。
【００１１】
また、前記ホログラムシートは、中心部に瞳孔模様が印刷され、どの角度からでも前記瞳孔模様が見える干渉縞が形成されていることを特徴とする。
【００１２】
また、前記本体の口の位置には、ペットボトルの飲み口が差込可能な切り込みが入れられていることを特徴とする。
【００１３】
また、前記本体の一方の面には装着手段が設けられていることを特徴とする。
【００１４】
【実施の形態】
以下、本発明に係る動物撃退具の詳細について図と共に説明する。この図は本発明を限定するものではない。
【００１５】
図２は本発明に係る動物撃退具の使用状態を示す参考斜視図である。この動物撃退具は本体１２が動物の顔の形に形成されている。この本体１２は、例えば鳥類には猫の形状といったように、撃退しようとする動物の天敵の顔の形状にすることで、種々の動物に対しても使用することができる。
【００１６】
この本体１２の素材としては加工容易なものが好ましい。また、撃退具は屋外に設置したまま長時間放置されることが考えられるため、熱、水分、光に対して耐久性の高い素材が望ましい。また、どのような場所にも設置できるように、過度に重くならない素材が好ましい。
【００１７】
また、本発明に係る動物撃退具は、本体１２の目の位置に相当する部位にホログラムシート１４を備えている。
【００１８】
ここで、ホログラムについて簡単に説明する。ホログラムとは、記録対象物に対して物体光と参照光を照射し、２つの光を重ねて記録材料に記録し、現像処理したものである。ちなみに、物体光と参照光とは、レーザーから出た光をビームスプリッタによって２つに分けられた光のことを指す。
【００１９】
記録材料には、物体光と参照光により１ｍｍ幅に１０００〜７０００本もの干渉縞が形成される。この干渉縞には物体から伝搬される光が凍結して記録されるため、再生光を照射してホログラムを見ると、あたかも物体がそこにあるかのように立体的に見ることができる。更に、ホログラムは見る位置を動すとその方向から見た３次元像が見えるという特徴も持っている。
【００２０】
また、ホログラムにはマスターホログラム、リップマンホログラム、レインボーホログラムなど多くの種類があるが、特に限定せず適宜設定して使用すれば良い。
【００２１】
本発明に係る動物撃退具は、上述したホログラムの特徴を利用したもので、ホログラムシート１４は中心部分に瞳孔に似た形状の模様が印刷されている。また、このホログラムシート１４は見る位置や角度を変えても、必ず瞳孔の模様が見える様な干渉縞が形成されている。従って、本発明に係る動物撃退具は、動物が撃退具の見える位置にいると、絶えず撃退具が凝視している様に見えるため、威嚇又は撃退することができる。
【００２２】
また、ホログラムは上述したように狭い範囲に多数の干渉縞を形成しているため、光が当たると分光されて複数色の反射光となる。また、見る位置や角度を変えると、反射光の色も複雑に変化する。これにより、単調ではなく複雑な反射光を出すことができ、動物が撃退具に馴れることがなく、長期にわたって威嚇及び撃退することができる。
【００２３】
また、ホログラムは多数の干渉縞によってわずかな光でも反射することができるため、光が当たりにくい場所や、日光が当たらなくても反射光を出すことができる。
【００２４】
また、本発明に係る動物撃退具は、本体１２の口に該当する位置に切り込みが形成されている。この切り込み部１６は、図２のようにペットボトル１８の飲み口を切り込み部１６の裏側から差し込める程度の形状になっている。
【００２５】
この切り込み部１６の裏側からペットボトル１８の飲み口を差し込むと、切り込み部１６が手前側に押し出されて口が開いているように見える。これにより、ホログラムシート１４と併せて動物を威嚇又は撃退することができる。
【００２６】
また、ペットボトル１８に水又は砂等を適当量入れると、このペットボトル１８が錘になって勝手に動くことがない。更に、このペットボトル１８の胴体部分に、動物の体を形取った模型のようなものを被せれば、より威嚇することができる。
【００２７】
また、本発明に係る動物撃退具本体１２の一方の面に装着部材を形成しても良い。この装着部材は特に限定しないが、磁石、粘着剤、吸着盤、係部部材、嵌合部材などを適宜使用すれば良い。これにより、壁、窓などの平面にも撃退具を設置することができるため、設置場所を考慮する必要がなく、どのような場所でも設置することができる。
【００２８】
【発明の効果】
本発明に係る動物撃退具は、本体１２の目の位置に該当する部位にホログラムシート１４を形成してあるので、どの位置及び角度から撃退具を見ても、ホログラムシート１４に形成された瞳孔の様な模様がこちら側を凝視しているように見えるので、絶えず動物を威嚇することができる。
【００２９】
また、ホログラムシート１４に光が当たると、無数の干渉縞によって分光されて複数色の反射光となり、見る位置や角度を変えると反射光の色も複雑に変化するため、動物が撃退具に馴れることなく長期にわたって威嚇することができる。
【００３０】
また、ホログラムシート１４が僅かな光でも反射することができるため、光の当たりにくい場所及び状況下でも動物に対して威嚇をすることができる。
【００３１】
また、本体１２の口の位置に該当する部位に切り込み部１６が入れられているため、この切り込み部１６にペットボトル１８の飲み口等を差し込むと、口を大きく開いているように見えるため、本体１２の目と合わせて威嚇することができる。
【図面の簡単な説明】
【図１】本発明に係る動物撃退具を示した参考図である。
【図２】本発明に係る動物撃退具の使用状態を示した参考斜視図である。
【符号の説明】
１０  動物撃退具
１２  本体
１４  ホログラムシート
１６  切り込み部
１８  ペットボトル
【図１】
0004321952.tif 000002
【図２】
0004321952.tif 000003